(57)【要約】【課題】容器が開封されたか否かを容易に把握し得るテープ付き容器を提供すること。【解決手段】テープ付き容器１は、容器本体２１と蓋体２２とを備える容器２に、容器本体２１に蓋体２２を装着した状態で、これらの繋ぎ目２３の全長を覆うよう帯状のテープ３が貼着され、封止されている。テープ３は、基材４上に剥離剤層５、樹脂層６および接着剤層７がこの順に積層されて構成されている。テープ３で容器２を封止した状態から、テープ３を容器２から剥離しようとすると、容器２側に樹脂層６および接着剤層７が残り、これらは、容器２を開封する際にその幅方向に分割される。テープ３を容器２から剥離した際に、樹脂層６および接着剤層７が分割されているか否かを確認することにより、容器２が開封されたか否かを容易に把握することができる。【選択図】図２
2004210361.tif 000002
【特許請求の範囲】
【請求項１】
容器本体と、該容器本体に着脱自在に装着される蓋体とを備える容器と、
前記容器本体に前記蓋体を装着した状態で、これらの繋ぎ目の全長を覆う帯状のテープとを有し、
前記テープは、基材上に、剥離剤層、樹脂層および接着剤層が、この順に積層されて構成され、
前記容器本体に前記蓋体を装着した状態の前記容器に、前記テープを、前記繋ぎ目を覆うよう貼着することにより、前記容器を封止することを特徴とするテープ付き容器。
【請求項２】
前記テープで前記容器を封止した状態から、前記テープを前記容器から剥離しようとすると、前記容器側に前記樹脂層および前記接着剤層が残る請求項１に記載のテープ付き容器。
【請求項３】
前記容器を開封する際に、前記容器側に残った前記樹脂層および前記接着剤層が、それぞれ、その幅方向に分割される請求項２に記載のテープ付き容器。
【請求項４】
前記樹脂層および前記接着剤層は、それぞれ、実質的に透明である請求項１ないし３のいずれかに記載のテープ付き容器。
【請求項５】
前記樹脂層には、その長手方向に沿ってミシン目が形成されており、該ミシン目が前記繋ぎ目に対応するよう前記容器に貼着される請求項１ないし４のいずれかに記載のテープ付き容器。
【請求項６】
前記テープは、その長手方向の一端部に、前記テープの接着力を消失または低減させる接着力低減処理が施されている請求項１ないし５のいずれかに記載のテープ付き容器。
【請求項７】
前記容器は、その前記テープが貼着される領域内に印刷が施されている請求項１ないし６のいずれかに記載のテープ付き容器。
【発明の詳細な説明】
【０００１】
【発明の属する技術分野】
本発明は、テープ付き容器に関するものである。
【０００２】
【従来の技術】
従来から、容器が開封されたか否かを容易に把握し得るように、容器をテープで封止した構成のものが種々提案されている。
【０００３】
例えば、容器本体に蓋体を被せた状態で、これらの繋ぎ目の全周を、帯状のテープで覆うことにより、容器を封止する構成のもの（例えば、特許文献１〜３参照。）や、容器本体に蓋体を被せた状態で、これらの繋ぎ目を跨ぐようにテープを貼着することにより、容器を封止する構成のもの等がある。
【０００４】
ところで、これらの特許文献では、いずれも、紙製または樹脂製の基材上に粘着剤を設けたテープで容器が封止され、テープの基材が破断されることにより、容器が開封されたか否かを把握するものである。
【０００５】
ところが、このような構成では、一旦、封止状態の容器から基材が破断されないようにテープを剥がし、容器を開封した後、再度、容器を閉じてほぼ元通りにテープで封止すると、容器が開封されたことが判らないという問題がある。
【０００６】
したがって、このような容器（テープ付き容器）で包装された商品では、流通過程で、内容物のすり替えが行われたり、容器の内部に異物（例えば、毒物や劇物）等が混入されていても、購入した消費者には容易に判断が付かない。
【０００７】
【特許文献１】
実公昭４６−３０６１４号公報
【特許文献２】
実公平４−４１０９５号公報
【特許文献３】
実公昭５５−４８５０号公報
【０００８】
【発明が解決しようとする課題】
本発明の目的は、容器が開封されたか否かを容易に把握し得るテープ付き容器を提供することにある。
【０００９】
【課題を解決するための手段】
このような目的は、下記（１）〜（７）の本発明により達成される。
【００１０】
（１）  容器本体と、該容器本体に着脱自在に装着される蓋体とを備える容器と、
前記容器本体に前記蓋体を装着した状態で、これらの繋ぎ目の全長を覆う帯状のテープとを有し、
前記テープは、基材上に、剥離剤層、樹脂層および接着剤層が、この順に積層されて構成され、
前記容器本体に前記蓋体を装着した状態の前記容器に、前記テープを、前記繋ぎ目を覆うよう貼着することにより、前記容器を封止することを特徴とするテープ付き容器。
【００１１】
（２）  前記テープで前記容器を封止した状態から、前記テープを前記容器から剥離しようとすると、前記容器側に前記樹脂層および前記接着剤層が残る上記（１）に記載のテープ付き容器。
【００１２】
（３）  前記容器を開封する際に、前記容器側に残った前記樹脂層および前記接着剤層が、それぞれ、その幅方向に分割される上記（２）に記載のテープ付き容器。
【００１３】
（４）  前記樹脂層および前記接着剤層は、それぞれ、実質的に透明である上記（１）ないし（３）のいずれかに記載のテープ付き容器。
【００１４】
（５）  前記樹脂層には、その長手方向に沿ってミシン目が形成されており、該ミシン目が前記繋ぎ目に対応するよう前記容器に貼着される上記（１）ないし（４）のいずれかに記載のテープ付き容器。
【００１５】
（６）  前記テープは、その長手方向の一端部に、前記テープの接着力を消失または低減させる接着力低減処理が施されている上記（１）ないし（５）のいずれかに記載のテープ付き容器。
【００１６】
（７）  前記容器は、その前記テープが貼着される領域内に印刷が施されている上記（１）ないし（６）のいずれかに記載のテープ付き容器。
【００１７】
【発明の実施の形態】
以下、本発明のテープ付き容器を添付図面に示す好適実施形態に基づいて詳細に説明する。
【００１８】
図１は、本発明のテープ付き容器の実施形態（容器をテープで封止した状態）を示す斜視図、図２は、図１に示すテープ付き容器の一部を拡大して示す縦断面図、図３は、図１に示すテープ付き容器において、容器からテープを剥離しようとしている状態を示す斜視図、図４は、図１に示すテープ付き容器が備える容器を開封した状態を示す斜視図である。
【００１９】
図１に示すテープ付き容器１は、容器２と帯状のテープ３とを有している。
容器２は、ほぼ円盤状（全体として扁平形状）をなし、容器本体２１と、この容器本体２１に着脱自在に装着される蓋体２２とを備えている。
【００２０】
容器本体２１の上縁部には、その全周亘って、段差部２１１が凹没形成されている。容器本体２１に蓋体２２を被せる（装着する）と、段差部２１１に蓋体２２の下縁部が係止する。この状態で、蓋体２２が容器本体２１に対して固定される。
【００２１】
このように、容器本体２１に蓋体２２を装着した状態で、容器本体２１と蓋体２２とで画成される空間２０に、すなわち、容器２の内部に所定の物品が収納される。
【００２２】
また、容器２は、容器本体２１に蓋体２２を装着した状態から、容器本体２１と蓋体２２とを互いに離間させることにより開けることができる。特に、本実施形態では、容器２は、ほぼ円盤状をなすことから、容器本体２１と蓋体２２とを相対的に回転させつつ、互いに離間させることにより開けることができる。
【００２３】
この容器２（容器本体２１および蓋体２２）の構成材料としては、容器２全体の強度を確保し得る材料であれば、特に限定されないが、例えば、各種紙、各種樹脂材料、各種セラミックス材料、各種金属材料、各種ガラス材料等が挙げられる。
【００２４】
テープ３は、容器本体２１に蓋体２２を装着した状態で、容器本体２１と蓋体２２との繋ぎ目２３の全長（全周）を覆うものである。このテープ３を、容器本体２１に蓋体２２を装着した状態の容器２に、繋ぎ目２３を覆うよう貼着することにより、容器２が封止される。
【００２５】
また、テープ３の幅（図１中、Ｗ）は、繋ぎ目２３を覆うことができる程度のものであればよいが、本実施形態では、容器２の厚さ（図１中、Ｈ）より若干小さく設定されている。これにより、テープ３で容器２を封止した状態で、容器２の厚さ方向にテープ３がはみ出るのを防止することができ、テープ付き容器１の取り扱いが容易となる。
【００２６】
テープ３は、図２に示すように、基材４上に、剥離剤層５、樹脂層６および接着剤層７が、この順に積層されて構成され、接着剤層７により容器２に貼着される。
【００２７】
このテープ３は、剥離剤層５の樹脂層６に対する接着力が、接着剤層７の容器２に対する接着力より小さくなるよう設定されている。したがって、テープ３で容器２を封止した状態から、テープ３を容器２から剥離しようとすると、図３に示すように、基材４および剥離剤層５が容器２から除去され、容器２側に樹脂層６および接着剤層７が残るこことなる。そして、容器本体２１と蓋体２２とを相対的に回転させつつ、互いに離間させることにより容器２を開封する際に、容器２側に残った樹脂層６および接着剤層７が、それぞれ、図４に示すように、その幅方向に分割される。
【００２８】
換言すれば、樹脂層６および接着剤層７は、テープ３で容器２を封止した後においては、容器２を開封した際に初めて分割されることとなる。
【００２９】
このため、テープ３を容器２から剥離した際に、容器２側に残った樹脂層６および接着剤層７が分割されているか否かを確認することにより、容器２が開封されたか否かを容易に把握することができる。
【００３０】
樹脂層６は、容器２を開封する際に分割されることから、比較的破断強度が低いものであるのが好ましい。
【００３１】
このような樹脂層６の構成材料としては、例えば、低分子量ポリエチレン、ポリアクリル酸エステル、エチレン−酢酸ビニル共重合体、エチレン−アクリル酸エステル共重合体、エチレン−メタクリル酸エステル共重合体、エチレン−アクリル酸共重合体、エチレン−メタクリル酸共重合体、エチレン−アクリル酸エステル−無水マレイン酸三元共重合体、ポリ酢酸ビニル、塩化ビニル−塩化ビニリデン共重合体、合成ゴム、酢酸ビニル−アクリル酸エステル共重合体、スチレン−ビニルピロリドン共重合体、スチレン−アクリル酸エステル共重合体、スチレン−無水マレイン酸共重合体の金属塩（Ｎａ、Ｚｎ、Ｋ等）等が挙げられ、これらのうちの１種または２種以上を組み合わせて用いることができる。
【００３２】
これらの中でも、樹脂層６の構成材料としては、特に、エチレン−アクリル酸エステル共重合体と低分子量（粘度法による重量平均分子量で１０００〜４０００）ポリエチレンとの混合物が好適である。この両者の混合比（重量比）は、エチレン−アクリル酸エステル共重合体：低分子量ポリエチレンが６０：４０〜８０：２０程度であるのが好ましい。樹脂層６をエチレン−アクリル酸エステル共重合体と低分子量ポリエチレンとの混合物で構成することにより、剥離剤層５の樹脂層６からの剥離性を向上させることができる。
【００３３】
樹脂層６の厚さは、構成材料等によって適宜設定され、特に限定されないが、３〜３０μｍ程度であるのが好ましく、４〜１５μｍ程度であるのがより好ましい。樹脂層６が薄過ぎると、接着剤層７の接着剤がしみだしたり、樹脂層６が破れ、接着剤層７が露出して容器２がベタつく場合があり、一方、樹脂層６が厚過ぎると、容器２を開封する際に、樹脂層６の分割を容易に行うことができない場合がある。
【００３４】
接着剤層７は、通常の状態で接着することなく、加圧により接着するものが好ましい。このような接着剤層７は、例えば、塩化ビニル系樹脂、塩化ビニリデン系樹脂、合成ゴム系樹脂、天然ゴム系樹脂、アクリル系樹脂等を主成分とする接着剤で構成することができる。
【００３５】
接着剤層７の厚さは、特に限定されないが、好ましくは５〜５０μｍ程度、より好ましくは１０〜３０μｍ程度とされる。
【００３６】
これらの樹脂層６および接着剤層７は、それぞれ、実質的に透明（無色透明、着色透明、半透明）であること、すなわち、光透過性を有することが好ましい。
【００３７】
容器２のテープ３が貼着される領域内には、印刷を施すことができるが、樹脂層６および接着剤層７を、実質的に透明とすることにより、容器２からテープ３を剥離した際に、樹脂層６および接着剤層７を介して、容器２表面の印刷による表示内容を視認することができる。
【００３８】
基材４は、比較的柔軟なものであるのが好ましい。このような基材４は、グラシン紙、上質紙、コート紙、無塵紙、含浸紙、ラミネート紙等の紙、ポリエチレンテレフタレートフィルム、ポリブチレンテレフタレートフィルム等のポリエステルフィルム、ポリプロピレンフィルムやポリメチルペンテンフィルム等のポリオレフィンフィルム、ポリカーボネートフィルム、合成紙等のプラスチックフィルム、または、これらの２種以上を積層した積層体等で構成することができる。
【００３９】
基材４の厚さは、特に限定されないが、好ましくは２０〜３００μｍ程度、より好ましくは３０〜２００μｍ程度とされる。
【００４０】
剥離剤層５は、（メタ）アクリル酸エステル、または、（メタ）アクリル酸エステルと他の成分との共重合体を主成分として構成することができる。
【００４１】
（メタ）アクリル酸エステルとしては、例えば、アクリル酸メチル、アクリル酸エチル、アクリル酸ｎ−ブチル、アクリル酸イソブチル、アクリル酸プロピル、アクリル酸ｎ−オクチル、アクリル酸ドデシル、アクリル酸ラウリル、アクリル酸２−エチルヘキシル、アクリル酸ステアリル、アクリル酸２−クロルエチル、アクリル酸フェニル、α−クロルアクリル酸メチル、メタアクリル酸メチル、メタアクリル酸エチル、メタアクリル酸プロピル、メタアクリル酸ｎ−ブチル、メタアクリル酸イソブチル、メタアクリル酸ｎ−オクチル、メタアクリル酸ドデシル、メタアクリル酸ラウリル、メタアクリル酸２−エチルヘキシル、メタアクリル酸ステアリル、メタアクリル酸フェニル、メタアクリル酸ジメチルアミノエチル、メタアクリル酸ジエチルアミノエチル等が挙げられる。
【００４２】
（メタ）アクリル酸エステルと重合させる他の成分としては、スチレン、アクリロニトリル、酢酸ビニル等が挙げられる。
【００４３】
剥離剤層５の厚さは、特に限定されないが、好ましくは３〜３０μｍ程度、より好ましくは４〜１５μｍ程度とされる。
【００４４】
これらの基材４および剥離剤層５の少なくとも一方は、不透明であるのが好ましく、双方が不透明であるのがより好ましい。
【００４５】
基材２の剥離剤層５と反対側の面には、印刷を施すことができるが、基材４および剥離剤層５の少なくとも一方を不透明とすることにより、印刷による表示内容をより鮮明にすることができる。この表示内容としては、例えば、製造元表示、商品名、保存方法、成分表示、テープ付き容器１の開封方法等が挙げられる。
【００４６】
また、基材４および剥離剤層５の少なくとも一方を不透明とすることにより、容器２のテープ３が貼着される領域内に印刷を施した場合には、テープ３で容器２を封止した状態では、容器２表面の印刷による表示内容を、より確実に外部から視認できないようにすることができる。すなわち、容器２表面の印刷による表示内容を隠蔽情報とすることができる。
【００４７】
なお、剥離剤層５を不透明とする場合には、剥離剤層５に着色剤を含有する構成とすればよい。これにより、剥離剤層５を容易に不透明とすることができる。この場合、剥離剤層５中の着色剤の含有量は、着色剤の種類等によって適宜設定され、特に限定されないが、１〜７５重量％程度であるのが好ましく、４０〜６０重量％程度であるのがより好ましい。着色剤の含有量が少な過ぎると、剥離剤層５を十分に着色することができない場合があり、一方、着色剤の含有量が多過ぎると、樹脂層６との接着性（粘着性）が低下する場合がある。
【００４８】
着色剤としては、顔料または染料のいずれを用いてもよいが、顔料を用いるのが好適である。顔料は、剥離剤層５の構成材料中への分散性に優れるため、剥離剤層５をより均一に着色することができる。
【００４９】
顔料の具体例としては、例えば、二酸化チタン、酸化亜鉛、硫酸バリウム、サチンホワイト、リトポン等の白色顔料、カーボンブラック、ベンガラ等の有彩色顔料、フタロシアニンブルー、イソインドリノン、キナクリドン等の有機顔料等が挙げられる。
【００５０】
その他、剥離剤層５には、例えば、クレー、炭酸カルシウム、水酸化アルミニウム等の填料を加えてもよい。
【００５１】
また、このようなテープ３は、その長手方向の一端部３１に、テープ３の接着力を消失または低減させる接着力低減処理が施されている。これにより、テープ３で容器２を封止した状態で、テープ３の一端部３１が、容器２および／またはテープ３の他端部に接着することを防止することができる。このため、テープ３を容器２から剥離する際には便利である。
【００５２】
この接着力低減処理としては、例えば、接着剤層７の樹脂層６との反対側の面にインクを印刷し、接着剤層７を覆う方法、テープ３の一端部３１の接着剤層７を除去する方法、紙またはフィルムを接着剤層７に貼着する方法等が挙げられるが、特に、接着剤層７の樹脂層６との反対側の面に印刷を施す方法が好ましい。かかる方法によれば、テープ３に対して接着力低減処理を、容易かつ低コストで施すことができる。
【００５３】
なお、このようなテープ３は、容器２に貼着する前には、接着剤層７を保護するため、剥離紙を貼着しておくことが好ましい。剥離紙としては、例えば、紙や樹脂フィルム等の基材に、必要に応じて、シリコーン樹脂、フッ素樹脂、アルキッド樹脂等の剥離剤を塗布したもの等が挙げられる。
【００５４】
以上説明したようなテープ３は、例えば、基材４の上に、剥離剤層５の構成材料、樹脂層６の構成材料および接着剤層７の構成材料を、順次、塗布、乾燥することにより製造することができる。
【００５５】
なお、接着剤層７を樹脂層６上に形成するには、予め剥離紙に接着剤を塗布、乾燥し、接着剤層７を一旦形成し、この接着剤層７と樹脂層６とを貼着することで形成してもよい。
【００５６】
この塗布は、例えば、ロールコーター、メイヤーバーコーター、エアーナイフコーター、ロールナイフコーター等の公知の塗布手段を用いる塗布法、各種印刷法等により行うことができる。
【００５７】
次に、テープ３の他の構成例について説明する。
図５は、他の構成のテープを貼着したテープ付き容器の一部を拡大して示す縦断面図である。
【００５８】
以下、図５に示すテープ３’について説明するが、前記テープ３との相違点を中心に説明し、同様の事項については、その説明を省略する。
【００５９】
図５に示すテープ３’は、樹脂層６および接着剤層７の双方に、その長手方向に沿ってミシン目８が形成され、それ以外は、前記テープ３と同様である。
【００６０】
テープ３’は、ミシン目８が繋ぎ目２３に対応するよう容器２に貼着され、これにより、容器２が封止されている。
【００６１】
このような構成により、容器２からテープ３を剥離した後、容器２を開封する際に、樹脂層６および接着剤層７がより容易に分割されるので、容器２の開封をより容易に行うことができる。
【００６２】
このミシン目８は、例えば、ハーフカット加工により形成することができる。
【００６３】
なお、ミシン目８は、樹脂層６および接着剤層７のいずれか一方にのみ形成するようにしてもよい。
【００６４】
以上、本発明のテープ付き容器を図示の好適実施形態に基づいて説明したが、本発明は、これに限定されるものではなく、テープ付き容器を構成する各部は、同様の機能を発揮する任意の構成のものと置換することができる。
【００６５】
【実施例】
次に、本発明の具体的実施例について説明する。
【００６６】
（実施例１）
［剥離剤層５用塗料の調製］
ポリアクリル酸エステル（商品名プライマルＢ１５  ローム・アンド・ハース・ジャパン社製）１００質量部（固形分）と、ポリアクリル酸エステル（商品名プライマルＲ２２５  ローム・アンド・ハース・ジャパン社製）１００質量部（固形分）と、カーボンブラック（商品名グランド・ブラック  御国色素社製）１０質量部（固形分）とを混合して、剥離剤層用塗料を調製した。
【００６７】
［樹脂層６用塗料の調製］
エチレン−アクリル酸エステル共重合体（商品名ザイクセンＡＣ  住友精化社製）８０質量部（固形分）と、低分子量ポリエチレン（商品名ケミパールＷ２００  三井化学社製）２０質量部（固形分）とを混合して、樹脂層用塗料を調製した。
【００６８】
［テープ付き容器の作製］
まず、厚さ９０μｍの上質紙の片面に、上記剥離剤層用塗料をエアーナイフコーターで塗布、乾燥して、厚さ１０μｍの不透明な剥離剤層を形成した。
【００６９】
次に、剥離剤層の表面に、上記の樹脂層用塗料をエアーナイフコーターで塗布、乾燥して、厚さ１０μｍの透明な樹脂層を形成した。
【００７０】
次に、グラシン紙にシリコーン樹脂を塗布した剥離紙（商品名ＳＰ−８Ｋ  リンテック社製）の剥離処理面に、アクリル粘着剤（商品名ＰＬシン  リンテック社製）をロールナイフコーターで塗布、乾燥して、厚さ２０μｍの透明な接着剤層を形成し、この接着剤層と前記樹脂層とを貼り合せた。
【００７１】
次に、このものを、寸法：幅１ｃｍ、長さ３２ｃｍに裁断して、剥離紙付きのテープを作製した。
【００７２】
次に、直径１０ｃｍの図１に示す円盤状（扁平形状）の容器の側面に貼着し、本発明のテープ付き容器を作製した。
【００７３】
［テープ付き容器の開封試験］
封止された容器からテープを剥がしたところ、容器に接着剤層と樹脂層が残り、しかも、これらが破れていないことから、容器が開封されていないことを確認することができた。
【００７４】
次に、容器本体に対して蓋体を回転させたところ、接着剤層および樹脂層が分割され、容器を開封することができた。
【００７５】
（実施例２）
［テープ付き容器の作製］
まず、前記実施例１と同様にして作製したテープの幅方向の中央部に、長手方向（容器に貼着した時、容器本体と蓋体との繋ぎ目に沿う方向）に沿って剥離紙側から樹脂層までミシン目（切断部２ｍｍ、非切断部１ｍｍ）を形成した。
【００７６】
次に、テープの長手方向の一端部に、端から０．５ｃｍの範囲に黒インクでベタ印刷を行い、接着剤層の粘着力を消失させた。また、このテープの基材の表面に模様を印刷した。
【００７７】
次に、このテープを、その側面（テープ貼着面）に文字が印刷された容器（実施例１の容器と同じ形状のもの）の側面に、テープのミシン目と、容器の容器本体と蓋体との繋ぎ目とが対応するように貼着し、本発明のテープ付き容器を作製した。
【００７８】
［テープ付き容器の開封試験］
封止された容器からテープを剥がしたところ、容器に接着剤層と樹脂層が残り、しかも、これらが破れていないことから、容器が開封されていないことを確認することができた。
【００７９】
また、テープの一端部において、その接着力が消失しているため、テープの端部をつまむことが容易であった。
【００８０】
また、テープ（基材と剥離剤層）を剥がす前には、テープの剥離剤層が不透明のため、容器の側面に印刷された文字を視認することができなかったが、テープを剥がした後では、接着剤層および樹脂層とも透明であるため、これらの層を介して、容器の側面に印刷された文字を視認することできた。
【００８１】
次に、容器本体に対して蓋体を回転させたところ、接着剤層および樹脂層がミシン目に沿って容易に分割され、容器を開封することができた。
【００８２】
【発明の効果】
以上述べたように、本発明によれば、容器からテープを剥離した際に、樹脂層および接着剤層が、容器の繋ぎ目を覆うように容器側に残るので、容器側に残った樹脂層および接着剤層が分割されているか否かを確認することにより、容器が開封されたか否かを容易に把握することができる。
【００８３】
また、樹脂層および接着剤層のそれぞれを実質的に透明な材料を使用することにより、容器のテープが貼着される領域内に印刷を施した場合には、この印刷による表示内容を樹脂層および接着剤層を介して視認することができる。
【００８４】
また、前記基材および前記剥離剤層の少なくとも一方を不透明とすることにより、基材の剥離剤層と反対側の面に印刷を施した場合には、この印刷による表示内容をより鮮明にすることができる。また、これにより、容器のテープが貼着される領域内に印刷を施した場合には、テープで容器を封止した状態では、容器表面の印刷による表示内容を、外部から視認できないようにすることができる。
【図面の簡単な説明】
【図１】本発明のテープ付き容器の実施形態（容器をテープで封止した状態）を示す斜視図である。
【図２】図１に示すテープ付き容器の一部を拡大して示す縦断面図である。
【図３】図１に示すテープ付き容器において、容器からテープを剥離しようとしている状態を示す斜視図である。
【図４】図１に示すテープ付き容器が備える容器を開封した状態を示す斜視図である。
【図５】他の構成のテープを貼着したテープ付き容器の一部を拡大して示す縦断面図である。
【符号の説明】
１              テープ付き容器
２              容器
２０            空間
２１            容器本体
２１１          段差部
２２            蓋体
２３            繋ぎ目
３、３’        テープ
３１            一端部
４              基材
５              剥離剤層
６              樹脂層
７              接着剤層
８              ミシン目
【図１】
2004210361.tif 000003
【図２】
2004210361.tif 000004
【図３】
2004210361.tif 000005
【図４】
2004210361.tif 000006
【図５】
2004210361.tif 000007